(57)【要約】【課題】トマト栽培等においては誘引テープを支柱に固定する作業は必須であり、この作業には肉体的負担がともない、効率的に誘引テープを支柱に固定できる装置あるいは方法の開発が要請されている。そこで、１回の作業工程で２本の誘引テープを支柱に巻付け固定の可能な誘引テープ巻付け装置を提供し、誘引テープ設置作業の省力化を図ることである。【解決手段】２個の誘引テープのロールを回転可能な状態で装着する誘引テープロール装着部、誘引テープが引っ張りの力を受けたとき誘引テープを所望の幅に保ち、かつ誘引テープを送り出す中空なパイプからなる誘引テープガイド部とを形成したことを特徴とした誘引テープ巻付け装置を用いることにより、１作業工程で２本の誘引テープを支柱に巻付け固定することが可能となり、労働時間で従来の６０％減のという省力化を図ることが達成できる。【選択図】    図１
2005341944.tif 000002
【特許請求の範囲】
【請求項１】
１回の作業工程で２本の誘引テープを支柱に巻付け固定の可能な誘引テープ巻付け装置であって、２個の誘引テープのロールを回転可能な状態で装着する誘引テープロール装着部、誘引テープが引っ張りの力を受けたとき誘引テープを所望の幅に保ち、かつ誘引テープを送り出す中空なパイプからなる誘引テープガイド部とを形成したことを特徴とした誘引テープ巻付け装置。
【請求項２】
１回の作業工程で２本の誘引テープを支柱に巻付け固定する方法であって、請求項１記載の誘引テープ巻付け装置からの２本の誘引テープを最初の支柱に結束した後、本誘引テープ巻付け装置を掴むための握り部ともなっている誘引テープガイド部を片方の手で掴み、最終の支柱に向かって移動することにより、誘引テープが送り出され、次の支柱のところで、本誘引テープ巻付け装置をその支柱の外周にそって回転させることにより、同時に２本の誘引テープを支柱の上下に固定する誘引テープ巻付け固定方法。
【発明の詳細な説明】
【技術分野】
【０００１】本発明は、トマトなどの植物栽培の誘引作業に用いる誘引テープ巻付け固定装置と誘引テープ巻付け固定方法に関するものである。
【背景技術】
【０００２】特に、トマトなどの長期間栽培する植物は、その成長に伴い草丈が長くなり、栽培終了時には５ｍ以上となるため植物自身で自重を支えることができなくなる。そこで、草丈の伸長とともに茎を誘引し、植物体を支持する必要が生じる。【０００３】そこで、定植直後、畝方向に等間隔で支柱を地面に対して垂直に設置し、この支柱に誘引テープを地面に平行に数段張り、この誘引テープにトマトの茎を縛り付け固定する。このことにより、植物体の落下を防止することが可能となると同時に、植物の立体的配置を整え、葉相互の遮蔽を少なくし光分布を改善させ光合成を盛んにすることが可能となる。また、日常の葉かき、収穫作業効率の向上のためにも、トマト栽培において誘引作業は必須である。【０００４】図２に従来の誘引作業を示す。【０００５】初めに、畝方向に等間隔に支柱３を地面に対して垂直に設置し終えてから、畝の端に立てた支柱１に誘引テープのロール５の一端を結束し、順次隣の支柱３に巻付けながら畝のもう一方の端の支柱７まで移動して行く。【０００６】支柱３に誘引テープ２を巻付けるとき、片方の手に誘引テープのロール５を持ち、もう一方の手で誘引テープ２を握り、張り具合を調節しながら支柱３に誘引テープのロール５を１回転させて巻付ける。このとき、誘引テープのロール５が支柱３を半回転して、誘引テープを握っている手の近傍にきたら、素早く誘引テープ２を握っている手に誘引テープのロール５を渡し、その空いた手で誘引テープ２を適度に引っ張りながら支柱３に巻付け、次の支柱３へと移動し、畝のもう一方の端にある支柱７に達するまでこの作業を繰り返す。この工程で１本の誘引テープ２を畝の端から端まで張ることができるのである。【０００７】例えば、支柱３の上下間に４本の誘引テープ２を配置する場合、上記作業工程を４回繰り返す必要がある。この作業を１０ａのトマト栽培圃場に当てはめると、約３２００ｍに渡って誘引テープ２を設置することになる。また、地面に近く設置するとき、膝を曲げ、腰を屈めた姿勢で上記の熟練のいる誘引テープ設置作業を繰り返すことは、肉体的にも過酷であり、しっかりと支柱３に巻付けることも難しくなる。
【発明の開示】
【発明が解決しようとする課題】
【０００８】トマト栽培においては、誘引テープを支柱に固定する作業は必須である。また、この作業を行う時期は定植終了直後であり、育苗、定植、支柱立てと重労働が続き、肉体的負担が重なっている。【０００９】さらに、定植したトマトの成長は速く、茎を誘引テープで固定しなければ地面を這うような姿勢となり、通気の悪い状態に置かれる。このような状況に置かれると罹病する危険性が高くなる。また、このような姿勢に長く置かれた後、植物体を持ち上げ誘引しようとすると茎が折れたり、切断されるので、定植後早期に誘引テープを支柱に固定する作業を終了し、効率的に茎を誘引固定することが要請されている。【００１０】そこで本発明では、１回の作業工程で２本の誘引テープを支柱に巻付け固定の可能な誘引テープ巻付け装置を提供し、作業の省力化を図ることを目的とする。
【課題を解決するための手段】
【００１１】上記の目的を達成するために、本発明の誘引テープ巻付け固定装置は、２個の誘引テープのロールを回転可能な状態で装着する誘引テープロール装着部、誘引テープが引っ張りの力を受けたとき誘引テープを所望の幅に保ち、かつ誘引テープを送り出す中空なパイプからなる誘引テープガイド部とを形成したことを特徴としたものである。【００１２】誘引テープ巻付け固定装置からの２本の誘引テープを最初の支柱に結束した後、本装置を掴むための握り部ともなっている誘引テープガイド部を片方の手で掴み最終の支柱に向かって移動することにより、誘引テープが送り出され、次の支柱のところで、本装置をその支柱の外周にそって回転させることにより、同時に２本の誘引テープが支柱の上下に固定可能となる。
【発明の効果】
【００１３】上記の通り、本発明の誘引テープ巻付け固定装置によって以下の効果を奏することができる。【００１４】２個の誘引テープのロールを回転可能な状態で装着する誘引テープロール装着部、誘引テープが引っ張りの力を受けたとき誘引テープを所望の幅に保ち、誘引テープを送り出す中空なパイプからなる誘引テープガイド部とを形成した誘引テープ巻付け固定装置によって、予め設置された支柱に、１回の作業工程で２本の誘引テープを巻付け固定が可能となり、誘引テープを巻付け作業時間の大幅な短縮、作業負担の軽減が可能となる。【００１５】さらに、本装置は容易に入手可能な市販のパイプを加工するだけでも組立可能であり、安価に本発明を実施できることにおいても好ましい。
【発明を実施するための最良の形態】
【００１６】以下に本発明を詳細に説明する。図１に本発明の誘引テープ巻付け固定装置、図３及び図４に本装置を用いた誘引テープ巻付け固定方法を示す。【００１７】誘引テープ巻付け固定装置１０はパイプを切断加工したものであって、図１のような形状に組立てたものであり、誘引テープ装着部１１、誘引テープガイド部１２がら形成されている。誘引テープガイド部１２には誘引テープ差込口１３、上部誘引テープ取出し口１４、下部誘引テープ取出し口１５がある。本図は上部及び下部誘引テープのロール１６、１７の装着された状況を示している。【００１８】誘引テープ装着部１１は、上部及び下部誘引テープのロール１６、１７が脱着可能となるようにエル字形継手部分で取外しできるように作成されている。誘引テープ装着部１１を構成する部材は、誘引テープのロール５の中心部にある中空な穴の径より１ｃｍ程度小さな外形を有するパイプであれば、プラスチック、金属等の材質を問わないが、軽量化を図るにはプラスチックで中空のバイプとすることが好ましい。【００１９】誘引テープガイド部１２は中空のパイプで形成されており、誘引テープ２を誘引テープ差込口１３から挿入する。このとき、上部誘引テープのロール１６は下部誘引テープ取出し口１５から、下部誘引テープのロール１７は上部誘引テープ取出し口１４から引出す。このようにすることにより、上部及び下部誘引テープのロール１６、１７の回転が容易になる。【００２０】さらに、上部及び下部誘引テープ取出し口１４、１５の部分は、切口が楕円に形成され、さらに、その先端が水平に切断されている。後述するように、誘引テープを巻きつけ固定する際、誘引テープ巻付け固定装置１０が、既に張られた２本の誘引テープ２の間を通過しなければならない。このような形状にすることによって、誘引テープ巻付け固定装置１０の通過が容易となる。【００２１】次に、本発明の装置を用いた誘引テープ巻付け固定方法を説明する。図３は、誘引テープ巻付け固定装置１０を用いた誘引作業方法を示すものである。初めに、畝方向に等間隔で支柱３を地面に対して垂直に設置し終えてから、畝の端に立てた支柱１に誘引テープ巻付け固定装置１０から取出した上下２本の誘引テープ２の端をそれぞれ結束する。結束する上下の高さは、誘引テープ巻付け固定装置１０の高さと同じにする。【００２２】そして、誘引テープ巻付け固定装置１０を掴むための握り部となっている誘引テープガイド部１２を上部及び下部誘引テープのロール１６、１７の回転を妨げないように片手で持ち、巻付け対象の支柱６に向かって歩きながら移動し、その支柱に到達したら、誘引テープを巻付ける動作を行う。【００２３】支柱に巻付ける動作の手順を図４で詳細に説明する。まず、（ａ）の状態は、巻付け対象の支柱６の前面を誘引テープ巻付け固定装置１０が通過したところを示している。このとき、誘引テープ巻付け固定装置１０を握っている手の指（図示せず）を用いて誘引テープ差込口１３を押えて誘引テープの送り出しを止める。このことによって、誘引テープ巻付け固定装置１０を進行方向に強く引っ張っても上部及び下部誘引テープのロール１６、１７は回転しなくなる。誘引テープ差込口１３を押えたまま、支柱の外周に沿って回すと（ｂ）の状態になる。このとき、２本の誘引テープ２の送り出しは止められているので、強く張ることができる。また、誘引テープ巻付け固定装置１０は、張付けた誘引テープの後方にある。後方にある誘引テープ巻付け固定装置１０をもう一方の手で受取り、２本の誘引テープの間を通し、進行方向に引っ張ると（ｃ）の状態となり、２本の誘引テープは支柱に巻付けられ固定される。そして、誘引テープ差込口１３を押えている指を離して、進行方向に移動し支柱に巻付ける動作を畝のもう一方の端にある支柱７に達するまで繰り返す。支柱７に巻付けてからテープを切り結束する。【００２４】２本の誘引テープ２を設定する時間を従来の方法と比較してみると、約６０％の時間の節約となった。【００２５】誘引テープ巻付け固定装置１０を用いて、上記のような誘引作業方法を用いれば、２本の誘引テープ２を１人で同時に設置することができ、効率的に誘引作業を行うことができるようになる。
【図面の簡単な説明】
【００２６】
【図１】本発明の誘引テープ巻付け固定装置を示す図。
【図２】従来の誘引テープ巻付け固定方法の概略を示す図。
【図３】本発明の装置を用いた誘引テープ巻付け固定方法の概略を示す図。
【図４】本発明の装置を用いた支柱への巻付け固定方法を示した図。
【符号の説明】
【００２７】１  端の支柱
２  誘引テープ
３  支柱
４  作業者
５  誘引テープのロール
６  巻付け対象の支柱
７  もう一方の端の支柱
１０  誘引テープ巻付け固定装置
１１  誘引テープロール装着部
１２  誘引テープガイド部
１３  誘引テープ差込口
１４  上部誘引テープ取出し口
１５  下部誘引テープ取出し口
１６  上部誘引テープのロール
１７  下部誘引テープのロール
【図１】
2005341944.tif 000003
【図２】
2005341944.tif 000004
【図３】
2005341944.tif 000005
【図４】
2005341944.tif 000006